(57)【要約】      （修正有）【課題】衣服を正面から目視すると通常のフラップ付きパッチポケットであり、衣服の外観を損なわずに、表側のパッチポケットの深さよりも長い物品を形崩れなしに収納できる二重ポケットを提供する。【解決手段】二重ポケット１を形成するために、フラップ１６付きのパッチポケットを衣服の表地に縫い付け、さらにフラップ１６の下側に切り込み２０を入れ、該表地の裏側においてこの切り込み２０に袋布２４を取り付け、該袋布２４の縦寸がポケット本体１２の深さよりも長いことにより、フラップ１６が下りていると表地裏側のスリットポケットの存在が隠蔽される。【選択図】図２
0003151165.tif 000002
【実用新案登録請求の範囲】
【請求項１】
衣服を正面から目視すると通常のフラップ付きパッチポケットであって、衣服の表地においてフラップの下側に切り込みを入れ、該表地の裏側においてこの切り込みに袋布を取り付け、該袋布の縦寸がポケット本体の深さよりも長いことにより、フラップが下りていると表地裏側のスリットポケットの存在が隠蔽され、ポケット本体の深さよりも長い物品を安定収納できる衣服の二重ポケット。
【請求項２】
スリットポケットの袋布は、上辺の一方をフラップ裏側の切り込みに縫着し、且つ上辺の他方をフラップの縫い付けと同時に表地に縫着することにより、表地裏側に配置する袋布が衣服の外側から認識することができない請求項１記載の二重ポケット。
【請求項３】
作業着の胸ポケットとして形成し、一般の手帳よりも長い野帳を収納することで屋外作業に寄与する請求項１記載の二重ポケット。
【考案の詳細な説明】
【技術分野】
【０００１】
本考案は、衣服の外観を損なわずに、表側のパッチポケットの深さよりも長い物品を形崩れなしに収納できる衣服の二重ポケットに関する。
【背景技術】
【０００２】
ポケットは、衣服に取り付けられる通常のアイテムであり、その形状と寸法について種々のものが存在する。ポケットは、構造によってパッチポケット、スリットポケット、フラップポケットなどに分けられ、取付位置によって胸ポケット、肩ポケット、腰ポケット、脇ポケット、尻ポケット、内ポケットなどに分類される。
【０００３】
作業着において、胸ポケットは鉛筆、ボールペン、ノート類を収納するために必須であり、通常の外出着においても、定期入れ、財布、たばこ、ライターやハンカチなどの小物類を収納するのに有用である。作業着などの上着の胸ポケットは、ズボンの脇ポケットと比べて収納物が着用時に押圧されることが少なく、その作業着が着崩れすることも少ないので好ましい反面、収納可能量が比較的少なく且つ大きな物品を収納しにくいことに問題がある。
【０００４】
衣服用ポケットについて、収納可能量を増やし且つ大きな物品も収納できるように数多くの発明や考案が既に出願されている。例えば、特許文献１では、定期券を入れるための二重胸ポケットを提案している。また、特許文献２は、前身頃の内側全体において、Ａ４判の雑誌を収納できる大きな２個の内ポケットを縫い付け、該内ポケットはファスナで表側から開閉可能とする。特許文献３は、ワイシャツの胸部中央において、メガネや手帳を収納可能な内ポケットを縫い付け、該内ポケットもファスナで表側から開閉可能とする。
【先行技術文献】
【特許文献】
【０００５】
【特許文献１】実開平６−５９４４２号公報
【特許文献２】実開平７−１９３２２号公報
【特許文献３】実開平７−３３９０５号公報
【考案の概要】
【考案が解決しようとする課題】
【０００６】
特許文献２および３は、いずれも内ポケットに関する考案であり、該内ポケットを開閉するファスナが垂直方向に取り付けられるので、衣服の外観を損ない、該衣服の形崩れを伴うおそれがある。特許文献２および３に関する内ポケットは、単独で衣服の内側に縫着されるものであって、他のポケットと組み合わせても意味がない。
【０００７】
一方、特許文献１は、２個のパッチポケットまたはパッチポケットと内ポケットを重合した二重ポケットに関し、いずれのポケットも衣服の表地に縫い付けられている。このため、最外側に位置する主パッチポケットに比べて他のパッチポケットや内ポケットの寸法が大きいと、その縫い付け線が表地に露出することになって衣服の美観を損なうので、他のパッチポケットや内ポケットは主パッチポケットよりも寸法を小さくすることを要し、その収納可能物は定期券などの小物に限られてしまう。また、二重ポケットのいずれにも物品を容易に収納できるように、各ポケットの口つまり上縁辺の位置を上下方向にずらすことが必要であり、この二重ポケットを衣服の正面から見るとポケットの口が二重に見えてデザイン的に好ましくない。
【０００８】
本考案は、従来の胸ポケットに関する前記の問題点を改善するために提案されたものであり、衣服を正面から目視すると、通常寸法のフラップ付きパッチポケットだけが見えることで衣服の美観を損なわない二重ポケットを提供することを目的としている。本考案の他の目的は、表地裏側に配置したスリットポケットによって表側のポケット本体に収納不可能な長寸の物品を容易に収納できる二重ポケットを提供することである。
【課題を解決するための手段】
【０００９】
本考案に係る衣服の二重ポケットは、衣服を正面から目視すると通常のフラップ付きパッチポケットであり、衣服の表地においてフラップの下側に切り込みを入れ、該表地の裏側においてこの切り込みに袋布を取り付ける。この袋布の縦寸がポケット本体の深さよりも長いことにより、フラップが下りていると表地裏側のスリットポケットの存在が隠蔽され、ポケット本体の深さよりも長い物品を安定収納できる。
【００１０】
本考案の二重ポケットにおいて、スリットポケットの袋布は、上辺の一方をフラップ裏側の切り込みに縫着し、且つ上辺の他方をフラップの縫い付けと同時に表地に縫着することにより、表地裏側に配置する袋布が衣服の外側から認識することができない。また、好ましくは作業着の胸ポケットとして形成し、一般の手帳よりも長い野帳またはフィールドノートを収納することで屋外作業に寄与させる。
【考案の効果】
【００１１】
本考案に係る二重ポケットを取り付けた衣服は、正面から目視するとフラップ付きパッチポケットだけが見え、該ポケット自体は通常の寸法であるのでデザイン上の良好なバランスを維持している。本考案の二重ポケットにおいて、袋布で構成するスリットポケットは衣服の裏側に配置され、該袋布の周辺は衣服の表地に縫い付けられていないので衣服の美観に関与しない。このスリットポケットでは、袋布の前縁辺が切り込み（スリット）に縫着され、ポケット口つまり切り込みが二重ポケットのフラップで隠蔽され、且つ該袋布の後縁辺はフラップの縫い付けと同時に衣服の表地に縫着され、通常の縫い付け線だけが存在することで衣服の美観を保っている。
【００１２】
本考案に係る二重ポケットでは、衣服表側のポケット本体よりも縦寸の大きい袋布つまりスリットポケットが衣服裏側に配置されることにより、表側のポケット本体には収納不可能な長寸の物品をスリットポケットにスムースに収納でき、屋外作業などを行う際に便利である。このスリットポケットに収納した長寸の物品は、衣服着用者が前傾姿勢になってもフラップによって勝手に脱落することがなく、その物品によって表側のポケット本体はあまり膨らまないので美観的にも好ましい。
【図面の簡単な説明】
【００１３】
【図１】本考案に係る二重ポケットを有する作業着の正面図である。
【図２】フラップを引き上げた状態の二重ポケットを示す要部平面図である。
【図３】本考案に係る二重ポケットの縦断面を示す概略断面図である。
【図４】図３の二重ポケットの要部を拡大して示す概略断面図である。
【考案を実施するための形態】
【００１４】
二重ポケット１は、図１に示すように、パッチポケットとしての外観を有し、フラップ１６付きであるならば、図１のような左胸ポケットだけでなく、右胸ポケット、脇ポケットまたは肩ポケットに適用したり、ズボンやパンツの腰ポケットや尻ポケットなどに適用してもよい。この二重ポケット１は、作業着、ブルゾンやスポーツシャツだけでなく、各種のコート類、実験着、白衣、体操着、ズボン、軍服などに取り付け可能である。ポケット本体１２は、それを縫い付けた衣服においてデザイン性を損なわない程度の平面形状を有する。
【００１５】
二重ポケット１では、パッチポケットであるポケット本体１２の上縁辺１４よりも少し上方に、横長のフラップ１６を縫い付ける。ポケット本体１２の平面形状は、衣服全体の美観を損なわない程度の縦横寸法であるから、野帳４０（図３）のような長寸の物品を収納するとポケット本体１２からはみ出し、見苦しいうえに野帳４０を落としやすい。フラップ１６は、図２のように上方への引き上げた際に形崩れしにくいように、２枚重ねの生地で構成したり、さらに芯地（図示しない）を入れて縫製してもよい。
【００１６】
二重ポケット１は、図２に示すように、フラップ１６の縫い付け線１８とポケット本体１２の上縁辺１４との間に平行間隔１９を有する。平行間隔１９は、一般に５〜２０ｍｍの間隔であり、この間隔が狭すぎると、ポケット本体１２の上縁辺１４と切り込み２０が近接するので物品をスリットポケットに入れにくくなり、この間隔が広すぎると美観上から判断して好ましくない。切り込み２０は、ポケット本体１２の上縁辺１４よりも少し上方で、フラップ１６の縫い付け線１８に近接させ、その長さは縫い付け線１８よりも僅かに短くなるように定める。
【００１７】
袋布２４（図３）は、２枚の生地の周辺をＵ字形に縫着してスリットポケットを形成しても、折り返し布片の両側部を縫着してもよく、素材として表地１１と同じ布地、薄布、編ネット、不織布またはこれらの組み合わせなどを使用してもよい。袋布２４は、その縦寸がポケット本体１２の深さよりも相当に長くなるように定める。袋布２４は、その上縁辺の一方つまり前縁辺２６を切り込み２０に縫着し、且つ上辺の他方つまり後縁辺２８をフラップ１６の縫い付けと同時に表地１１に縫着すればよく（図４参照）、袋布２４の後縁辺２８の縫い付け線は、作業着２において実質的に不可視である。
【００１８】
袋布２４で構成するスリットポケットにおいて、切り込み２０の長さはフラップ１６のそれよりも僅かに短くすることが望ましく、袋布２４の横幅はポケット本体１２のそれと同等またはそれよりも大きくする。袋布２４の前縁辺２６は、玉縁縫いによって切り込み２０に縫着し、この玉縁縫いの両端部で表地１１および袋布２４の両生地を縫い付ければよい。また、切り込みを細長い矩形状に裁断し、この矩形状部４２内に袋布２４の折り返し前縁部４４を位置させ、その前縁辺が切り込み２０の上辺と一致するように縫い付け（図２参照）、さらに矩形状部４２の両側部において縫糸４６，４６で表地１１と袋布２４の両生地を縫着することも可能である。
【００１９】
作業服２は、図１のように正面から目視すると、表側のポケット本体１２とフラップ１６だけが見え、ポケット本体１２の平面形状は通常のパッチポケットと同等の形状である。二重ポケット１において、袋布２４で構成するスリットポケットは表地１１の裏側に配置され、該袋布の周辺はフリーの状態であるので、それが存在することは外部からは判別できない。
【実施例】
【００２０】
次に、本考案を実施例に基づいて説明すると、図１に示す本考案の二重ポケット１は、左胸ポケットとして作業服２の前身頃３の上方に縫い付ける。作業服２には、胸ポケットとして、左胸の二重ポケット１のほかに右胸ポケット５を縫着する。右胸ポケット５はスリットポケットであり、該ポケットの口に沿ってファスナ６を取り付ける。
【００２１】
図１に例示する作業服２は、例えば２枚の前身頃３，３と後身頃（図示しない）、ヨーク布７および長袖部８，８からなり、全体を縫製して前開き部に適宜数のボタン１０を取り付ける。作業服２は、前身頃３，３と後身頃とを横長のヨーク布７を介して縫い付け、長袖部８を筒状に縫製してから、該長袖部の基端部を前身頃３と後身頃に縫着する。ヨーク布７は、その端縁を各長袖部８の基端部に縫着する。作業服２は、裾部を解放したスポーツシャツタイプであるけれども、裾部をゴムで締めたジャンパータイプの作業服などにも適用できる。
【００２２】
二重ポケット１は、図２に示すように、前身頃つまり表地１１に縫着したパッチポケットとしての外観を有する。二重ポケット１では、周辺をＵ字形に縫い付けたポケット本体１２の口つまり上縁辺１４よりも少し上方に、該上縁辺と平行に横長五角形状のフラップ１６を縫い付ける。フラップ１６は、通常の状態では、ポケット本体１２の口を含む上方部に被さって隠蔽するような縦幅を有する（図３参照）。フラップ１６は、図２のように上方への引き上げた際に形崩れしにくいように、２枚重ねの生地と芯地で構成すればよく、面ファスナ１７，１７によってポケット本体２に着脱自在に貼り付ける。
【００２３】
図２に示すように、フラップ１６の縫い付け線１８とポケット本体１２の上縁辺１４との間に１５ｍｍ前後の平行間隔１９を有し、この平行間隔において切り込み２０を表地１１に形成する(図３、図４参照）。切り込み２０は、上縁辺１４と平行に縫い付け線１８とほぼ同じの位置に形成し、その長さは縫い付け線１８よりも僅かに短い。フラップ１６の縫い付け線１８は、所定の個所に間隙２２を有し、該間隙は作業着の使用時において鉛筆やボールペン（図示しない）の差し込み孔となる。
【００２４】
袋布２４（図３）は、２枚の生地の周辺をＵ字形に縫着してスリットポケットを形成し、その縦寸がポケット本体１２の深さよりも長く、例えば、その縦寸は約２００ｍｍである。袋布２４は、その前縁辺２６および後縁辺２８をいずれも表地１１に縫着するけれども、図３に示すように、その前縁辺２６を切り込み２０の近傍に縫い付け、且つ後縁辺２８をフラップ１６の縫い付けと同時に表地１１に縫着する。実際の縫製では、図４に例示するように、前身頃３の上方表地３０と下方表地３２を縫い合わせる際に、折り返した上方表地３０、フラップ１６の基部、下方表地３２、袋布２４の後縁辺２８の順で重ね合わせ、縫糸３４で全体を同時に縫い付けることにより、袋布２４の後縁辺２８の縫い付け線は、作業着２において実質的に存在しない。
【００２５】
袋布２４で構成するスリットポケットにおいて、切り込み２０の長さはフラップ１６のそれよりも僅かに短いけれども、袋布２４の横幅はポケット本体１２のそれよりも大きい（図２参照）。袋布２４の前縁辺２６は、図４のようにフラップ１６の下側において、縫糸３６で玉縁縫いして切り込み２０の下辺部３８に縫い付ければよく、その縫い付け線は作業着２の正面からは不可視である。実際の縫製では、図２に例示するように切り込み２０を細長い矩形状に裁断し、この矩形状部４２内に袋布２４の折り返し前縁部４４を位置させ、その前縁辺が切り込み２０の上辺と一致するように、矩形状部４２の下辺近傍を縫って前縁部４４を表地１１に縫い付け、さらに矩形状部４２の両側部において縫糸４６，４６で表地１１と袋布２４の両生地とを縫着する。
【００２６】
作業服２は、図１のように正面から目視すると、ポケット本体１２とフラップ１６だけが見え、余分な縫い付け線が全く存在せず、しかもポケット本体１２自体は通常の寸法と同じであるのでデザイン上の良好なバランスを保っている。二重ポケット１において、袋布２４で構成するスリットポケットは表地１１の裏側に配置され、該袋布の周辺は衣服の表地に縫い付けられずにフリーの状態である。このスリットポケットでは、袋布２０の前縁辺２６が切り込み２０に縫着され、該切り込みが二重ポケット１のフラップ１６で隠蔽され、且つ該袋布の後縁辺２８はフラップ１６とともに表地１１に縫着され、ポケット本体１２とフラップ１６の縫い付け線だけが目視できる。
【００２７】
二重ポケット１では、ポケット本体１２よりも縦横寸が大きい袋布２４つまりスリットポケットが表地１１の裏側に配置されることにより、ポケット本体１２に収納不可能な縦寸１８ｃｍの野帳４０（図３）をスリットポケットにスムースに収納できる。野帳４０は、フィールドノートとも称し、通常の手帳よりも大きくて屋外作業を行う際に作業内容などを記録するのに便利である。このスリットポケットに収納した野帳４０は、着用作業者が前傾姿勢になってもフラップ１６によって脱落することが防止され、該スリットポケットだけが膨らむだけであり、表側のポケット本体１２の形状には殆ど影響しないので美観的にも好ましい。
【符号の説明】
【００２８】
１    二重ポケット
２    作業服
１１    表地
１２    ポケット本体
１４    ポケット本体の上縁辺
１６    フラップ
２０    切り込み
２４    袋布
【図１】
0003151165.tif 000003
【図２】
0003151165.tif 000004
【図３】
0003151165.tif 000005
【図４】
0003151165.tif 000006